【手続補正書】
【提出日】平成24年4月18日(2012.4.18)
【手続補正１】
【補正対象書類名】特許請求の範囲
【補正対象項目名】全文
【補正方法】変更
【補正の内容】
【特許請求の範囲】
【請求項１】
無線移動通信システム内の基地局においてリソースブロックを用いて下りリンクデータを送信する方法であって、
前記方法は、
物理リソースブロック（ＰＲＢ）にマッピングされた下りリンクデータをユーザ機器に送信することを含み、
仮想リソースブロック（ＶＲＢ）のインデックスは、サブフレームのＮ個のスロットのそれぞれに対する前記ＰＲＢのインデックスにマッピングされ、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて行ごとに書き込まれ、列ごとに読み取られ、前記ブロックインターリーバーの列の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の列に挿入され、前記ＶＲＢのインデックスが前記ブロックインターリーバーから読み取られる場合には、前記ヌルが無視される、方法。
【請求項２】
前記ヌルは、前記ブロックインターリーバーの前記Ｎ個の領域のそれぞれのＫ番目の列の最後のＮｎｕｌｌ／Ｎ行に挿入され、ここでＮｎｕｌｌは前記ヌルの数に等しい、請求項１に記載の方法。
【請求項３】
Ｋが２である、請求項１に記載の方法。
【請求項４】
Ｎが２である、請求項１に記載の方法。
【請求項５】
無線移動通信システム内の基地局においてリソースブロックを用いて下りリンクデータを送信する方法であって、
前記方法は、
物理リソースブロック（ＰＲＢ）にマッピングされた下りリンクデータをユーザ機器に送信することを含み、
仮想リソースブロック（ＶＲＢ）のインデックスは、サブフレームのＮ個のスロットのそれぞれに対する前記ＰＲＢのインデックスにマッピングされ、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて列ごとに書き込まれ、行ごとに読み取られ、前記ブロックインターリーバーの行の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の行に挿入され、前記ＶＲＢのインデックスが前記ブロックインターリーバーから読み取られる場合には、前記ヌルが無視される、方法。
【請求項６】
前記ヌルは、前記ブロックインターリーバーの前記Ｎ個の領域のそれぞれのＫ番目の行の最後のＮｎｕｌｌ／Ｎ列に挿入され、ここでＮｎｕｌｌは前記ヌルの数に等しい、請求項５に記載の方法。
【請求項７】
Ｋが２である、請求項５に記載の方法。
【請求項８】
Ｎが２である、請求項５に記載の方法。
【請求項９】
無線移動通信システム内でリソースブロックを用いて下りリンクデータを送信する基地局であって、
前記基地局は、
前記基地局の動作を制御するプロセッサと、
前記プロセッサによって駆動されるメモリユニットと
を備え、前記プロセッサは、物理リソースブロック（ＰＲＢ）にマッピングされた下りリンクデータをユーザ機器に送信するように構成され、
仮想リソースブロック（ＶＲＢ）のインデックスは、サブフレームのＮ個のスロットのそれぞれに対する前記ＰＲＢのインデックスにマッピングされ、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて行ごとに書き込まれ、列ごとに読み取られ、前記ブロックインターリーバーの列の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の列に挿入され、前記ＶＲＢのインデックスが前記ブロックインターリーバーから読み取られる場合には、前記ヌルが無視される、基地局。
【請求項１０】
無線移動通信システム内でリソースブロックを用いて下りリンクデータを送信する基地局であって、
前記基地局は、
前記基地局の動作を制御するプロセッサと、
前記プロセッサによって駆動されるメモリユニットと
を備え、前記プロセッサは、物理リソースブロック（ＰＲＢ）にマッピングされた下りリンクデータをユーザ機器に送信するように構成され、
仮想リソースブロック（ＶＲＢ）のインデックスは、サブフレームのＮ個のスロットのそれぞれに対する前記ＰＲＢのインデックスにマッピングされ、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて列ごとに書き込まれ、行ごとに読み取られ、前記ブロックインターリーバーの行の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の行に挿入され、前記ＶＲＢのインデックスが前記ブロックインターリーバーから読み取られる場合には、前記ヌルが無視される、基地局。
【請求項１１】
無線移動通信システム内のユーザ機器においてリソースブロックを用いて下りリンクデータを受信する方法であって、
前記方法は、
基地局から、前記下りリンクデータに対するリソース割り当て情報を含む下りリンク制御情報を受信することと、
前記下りリンク制御情報に基づいて、物理リソースブロック（ＰＲＢ）にマッピングされた前記下りリンクデータを受信することと
を含み、
前記リソース割り当て情報は、前記ユーザ機器に対する仮想リソースブロック（ＶＲＢ）割り当てを示し、
前記下りリンクデータがマッピングされる前記ＰＲＢのインデックスは、仮想リソースブロック（ＶＲＢ）と前記ＰＲＢとの間のマッピング関係に基づいて決定され、
前記マッピング関係は、サブフレームのＮ個のスロットのそれぞれに対する前記ＰＲＢのインデックスにマッピングされた前記ＶＲＢのインデックスとして定義され、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて行ごとに書き込まれ、列ごとに読み取られ、前記ブロックインターリーバーの列の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の列に挿入され、前記ＶＲＢのインデックスが前記ブロックインターリーバーから読み取られる場合には、前記ヌルが無視される、方法。
【請求項１２】
無線移動通信システム内のユーザ機器においてリソースブロックを用いて下りリンクデータを受信する方法であって、
前記方法は、
基地局から、前記下りリンクデータに対するリソース割り当て情報を含む下りリンク制御情報を受信することと、
前記下りリンク制御情報に基づいて、物理リソースブロック（ＰＲＢ）にマッピングされた前記下りリンクデータを受信することと
を含み、
前記リソース割り当て情報は、前記ユーザ機器に対する仮想リソースブロック（ＶＲＢ）割り当てを示し、
前記下りリンクデータがマッピングされる前記ＰＲＢのインデックスは、仮想リソースブロック（ＶＲＢ）と前記ＰＲＢとの間のマッピング関係に基づいて決定され、
前記マッピング関係は、サブフレームのＮ個のスロットのそれぞれに対する前記ＰＲＢのインデックスにマッピングされた前記ＶＲＢのインデックスとして定義され、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて列ごとに書き込まれ、行ごとに読み取られ、前記ブロックインターリーバーの行の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の行に挿入され、前記ＶＲＢのインデックスが前記ブロックインターリーバーから読み取られる場合には、前記ヌルが無視される、方法。
【請求項１３】
無線移動通信システム内でリソースブロックを用いて下りリンクデータを受信するユーザ機器であって、
前記ユーザ機器は、
前記ユーザ機器の動作を制御するプロセッサと、
前記プロセッサによって駆動されるメモリユニットと
を備え、前記プロセッサは、
基地局から、前記下りリンクデータに対するリソース割り当て情報を含む下りリンク制御情報を受信することと、
前記下りリンク制御情報に基づいて、物理リソースブロック（ＰＲＢ）にマッピングされた前記下りリンクデータを受信することと
を行うように構成され、
前記リソース割り当て情報は、前記ユーザ機器に対する仮想リソースブロック（ＶＲＢ）割り当てを示し、
前記下りリンクデータがマッピングされる前記ＰＲＢのインデックスは、仮想リソースブロック（ＶＲＢ）と前記ＰＲＢとの間のマッピング関係に基づいて決定され、
前記マッピング関係は、サブフレームのＮ個のスロットのそれぞれに対する前記ＰＲＢのインデックスにマッピングされた前記ＶＲＢのインデックスとして定義され、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて行ごとに書き込まれ、列ごとに読み取られ、前記ブロックインターリーバーの列の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の列に挿入され、前記ＶＲＢのインデックスが前記ブロックインターリーバーから読み取られる場合には、前記ヌルが無視される、ユーザ機器。
【請求項１４】
無線移動通信システム内でリソースブロックを用いて下りリンクデータを受信するユーザ機器であって、
前記ユーザ機器は、
前記ユーザ機器の動作を制御するプロセッサと、
前記プロセッサによって駆動されるメモリユニットと
を備え、前記プロセッサは、
基地局から、前記下りリンクデータに対するリソース割り当て情報を含む下りリンク制御情報を受信することと、
前記下りリンク制御情報に基づいて、物理リソースブロック（ＰＲＢ）にマッピングされた前記下りリンクデータを受信することと
を行うように構成され、
前記リソース割り当て情報は、前記ユーザ機器に対する仮想リソースブロック（ＶＲＢ）割り当てを示し、
前記下りリンクデータがマッピングされる前記ＰＲＢのインデックスは、仮想リソースブロック（ＶＲＢ）と前記ＰＲＢとの間のマッピング関係に基づいて決定され、
前記マッピング関係は、サブフレームのＮ個のスロットのそれぞれに対する前記ＰＲＢのインデックスにマッピングされた前記ＶＲＢのインデックスとして定義され、「Ｎ」番目のスロットに対する前記ＰＲＢのインデックスは、所定のギャップに基づいて、「Ｎ−１」番目のスロットに対する前記ＰＲＢのインデックスに対してシフトされ、
前記ＶＲＢのインデックスは、ブロックインターリーバーによってインターリービングされ、
前記ブロックインターリーバーは、Ｎ個の領域を含み、前記ＶＲＢのインデックスは、前記ブロックインターリーバーにおいて列ごとに書き込まれ、行ごとに読み取られ、前記ブロックインターリーバーの行の数は、Ｋ・Ｎに等しく、ここで、ＫおよびＮは０より大きい整数であり、
ヌルが前記ブロックインターリーバーに挿入される場合には、前記ヌルは、前記ブロックインターリーバーの前記Ｎ個の領域のそれぞれのＫ番目の行に挿入され、前記ＶＲＢのインデックスが前記ブロックインターリーバーから読み取られる場合には、前記ヌルが無視される、ユーザ機器。